(57)【要約】【課題】医療用長尺体に任意の摺動性を容易に付与できるカバー付与デバイスおよび医療用長尺体セットを提供する。【解決手段】ガイドワイヤ６０の遠位部にカバー部３０を装着するためのカバー付与デバイス２０であって、ガイドワイヤ６０の遠位部に被さって装着されるカバー部３０と、ガイドワイヤ６０を挿入可能な内腔を有し、カバー部３０によって外周面５３が覆われた装着具５０と、を有する。【選択図】図１
2019130207.tif 000002
【特許請求の範囲】
【請求項１】
医療用長尺体の遠位部にカバー部を装着するためのカバー付与デバイスであって、
前記医療用長尺体の遠位部に被さって装着されるカバー部と、
前記医療用長尺体を挿入可能な内腔を有し、前記カバー部によって外周面の少なくとも一部が覆われた装着具と、を有することを特徴とする、カバー付与デバイス。
【請求項２】
前記カバー部は、
カバー本体と、
前記カバー本体の外表面の少なくとも一部を覆い、前記カバー本体と異なる材料により形成される外側被覆層と、を有することを特徴とする、請求項１に記載のカバー付与デバイス。
【請求項３】
前記カバー部は、
近位側で開口する近位側開口部と、
前記近位側開口部の遠位側に位置して前記医療用長尺体の遠位部が突き当たる当接部と、を有することを特徴とする、請求項１または２に記載のカバー付与デバイス。
【請求項４】
前記カバー部の近位部の厚さは、前記カバー部の遠位部の厚さ以下であることを特徴とする、請求項１〜３のいずれか１項に記載のカバー付与デバイス。
【請求項５】
前記装着具は、前記外周面と内腔とを連通する連通部を有することを特徴とする、請求項１〜４のいずれか１項に記載のカバー付与デバイス。
【請求項６】
前記連通部は、前記外周面の遠位端から近位端まで延在するスリットであることを特徴とする、請求項５に記載のカバー付与デバイス。
【請求項７】
前記連通部は、孔部であることを特徴とする、請求項５に記載のカバー付与デバイス。
【請求項８】
前記カバー部の内表面の摩擦係数は、前記外側被覆層の摩擦係数よりも大きいことを特徴とする、請求項１〜７のいずれか１項に記載のカバー付与デバイス。
【請求項９】
前記カバー部は、前記外側被覆層の少なくとも一部が、内側を向くように裏返った状態で前記装着具の外周面と接触することを特徴とする、請求項１〜８のいずれか１項に記載のカバー付与デバイス。
【請求項１０】
前記外側被覆層は、親水性ポリマーにより形成されることを特徴とする、請求項１〜９のいずれか１項に記載のカバー付与デバイス。
【請求項１１】
請求項１〜１０のいずれか１項に記載の前記カバー付与デバイスと、
前記医療用長尺体と、を有することを特徴とする、医療用長尺体セット。
【発明の詳細な説明】
【技術分野】
【０００１】
本発明は、カバー付与デバイスおよび医療用長尺体セットに関する。
【背景技術】
【０００２】
ガイドワイヤやカテーテル等の長尺な医療デバイスは、生体内や他のデバイス内での摺動性を向上させるため、その表面に親水性コート等の摺動性の高いコートが施されている（例えば、特許文献１を参照）。コートに求められる摺動性は、挿入対象である脈管の屈曲や狭窄の程度、脈管の内面の摩擦抵抗等によって異なる。このため、術者は、用途に適した摺動性のガイドワイヤを選択する。これにより、術者は、脈管内やカテーテル内で、ガイドワイヤを低い摩擦抵抗で操作できる。
【先行技術文献】
【特許文献】
【０００３】
【特許文献１】特開２０１０−２５９７７２号公報
【発明の概要】
【発明が解決しようとする課題】
【０００４】
しかしながら、ガイドワイヤには、遠位端の固さや外径など、様々な仕様がある。このため、摺動性等の仕様の全てが用途に合致したガイドワイヤを、常に選択することは困難である。
【０００５】
本発明は、上述した課題を解決するためになされたものであり、医療用長尺体に任意の摺動性を容易に付与できるカバー付与デバイスおよび医療用長尺体セットを提供することを目的とする。
【課題を解決するための手段】
【０００６】
上記目的を達成する本発明に係るカバー付与デバイスは、医療用長尺体の遠位部にカバー部を装着するためのカバー付与デバイスであって、前記医療用長尺体の遠位部に被さって装着されるカバー部と、前記医療用長尺体を挿入可能な内腔を有し、前記カバー部によって外周面の少なくとも一部が覆われた装着具と、を有することを特徴とする。
【０００７】
上記目的を達成する本発明に係る医療用長尺体セットは、前記カバー付与デバイスと、前記医療用長尺体と、を有することを特徴とする。
【発明の効果】
【０００８】
上記のように構成したカバー付与デバイスは、カバー部を医療用長尺体に装着することで、医療用長尺体の遠位部に任意の摺動性を容易に付与できる。
【０００９】
前記カバー部は、カバー本体と、前記カバー本体の外表面の少なくとも一部を覆い、前記カバー本体と異なる材料により形成される外側被覆層と、を有してもよい。これにより、カバー部の外表面の摺動性を、任意に調節することが容易となる。
【００１０】
前記カバー部は、近位側で開口する近位側開口部と、前記近位側開口部の遠位側に位置して前記医療用長尺体の遠位部が突き当たる当接部と、を有してもよい。これにより、医療用長尺体の遠位部により当接部を押すことで、カバー部を装着具から離脱させ、医療用長尺体の遠位部に移動させることができる。また、当接部に医療用長尺体の遠位部を突き当てることで、カバー部の医療長尺体に対する位置が規定される。このため、カバー部を医療用長尺体の適切な位置に装着できる。
【００１１】
前記カバー部の近位部の厚さは、前記カバー部の遠位部の厚さ以下であってもよい。これにより、カバー部を医療用長尺体の遠位部に装着すると、カバー部の近位部が、医療用長尺体から突出し難い。このため、カバー部に近位側から力が作用しても、カバー部の近位部に力が作用し難い。したがって、カバー部を装着した医療用長尺体に沿って、医療デバイスを搬送する際などに、カバー部が医療用長尺体から捲れることを抑制できる。
【００１２】
前記装着具は、前記外周面と内腔とを連通する連通部を有してもよい。これにより、カバー部を医療用長尺体に装着する際に、カバー部を装着具から外しやすくなり、操作性が向上する。
【００１３】
前記連通部は、前記外周面の遠位端から近位端まで延在するスリットであってもよい。これにより、スリットの隙間を変化させることで、カバー部を装着具から外しやすくなり、操作性が向上する。
【００１４】
前記連通部は、孔部であってもよい。これにより、孔部を介して、装着具の内腔から外周面側へ水を供給できる。これにより、装着具の外周面とカバー部の間の摩擦が低減され、カバー部を装着具から外しやすくなり、操作性が向上する。
【００１５】
前記カバー部の内表面の摩擦係数は、前記外側被覆層の摩擦係数よりも大きくてもよい。これにより、カバー部を医療用長尺体に装着した際に、摩擦係数の大きいカバー部の内表面が医療用長尺体と接触する。これにより、カバー部が医療用長尺体から外れ難くなり、安全性が向上する。
【００１６】
前記カバー部は、前記外側被覆層の少なくとも一部が、内側を向くように裏返った状態で前記装着具の外周面と接触してもよい。これにより、カバー部を医療用長尺体に装着した際に、外側被覆層が医療用長尺体と接触する。これにより、カバー部の外側被覆層が装着具の外周面に接触するため、カバー部が装着具から外れやすく、医療用長尺体に装着しやすい。また、カバー部が医療用長尺体に装着されるまで、外側被覆層が装着具の外周面以外に接触しない。このため、外側被覆層の摺動性が変化せず、かつ外側被覆層を清潔に保つことができる。
【００１７】
前記外側被覆層は、親水性ポリマーにより形成されてもよい。これにより、カバー部を医療用長尺体に装着することで、医療用長尺体の遠位部に高い摺動性を付与できる。また、外側被覆層が装着具の外周面と接触する場合に、外側被覆層が装着具の外周面を滑りやすい。これにより、カバー部を装着具から外しやすくなり、操作性が向上する。
【００１８】
上記のように構成した医療用長尺体セットは、カバー付与デバイスを用いて、医療用長尺体にカバー部を装着できる。このため、医療用長尺体の遠位部に任意の摺動性を容易に付与できる。
【図面の簡単な説明】
【００１９】
【図１】実施形態に係る医療用長尺体セットを示す平面図である。
【図２】カバー付与デバイスの分解断面図である。
【図３】カバー付与デバイスの断面図である。
【図４】カバー付与デバイスによりガイドワイヤにカバー部を付与する操作を説明する断面図であり、（Ａ）はカバー部を付与する前、（Ｂ）はカバー部を付与した後を示す。
【図５】カバー付与デバイスの変形例を示す平面図であり、（Ａ）は第１の変形例、（Ｂ）は第２の変形例を示す。
【図６】カバー付与デバイスの変形例を示す平面図であり、（Ａ）は第３の変形例、（Ｂ）は第４の変形例、（Ｃ）は第５の変形例を示す。
【図７】カバー付与デバイスの第６の変形例を示す断面図であり、（Ａ）はカバー部を付与する前、（Ｂ）はカバー部を付与した後を示す。
【発明を実施するための形態】
【００２０】
以下、図面を参照して、本発明の実施の形態を説明する。なお、図面の寸法は、説明の都合上、誇張されて実際の寸法とは異なる場合がある。また、本明細書及び図面において、実質的に同一の機能構成を有する構成要素については、同一の符号を付することにより重複説明を省略する。本明細書において、デバイスの血管に挿入する側を「遠位側」、操作する手元側を「近位側」と称することとする。
【００２１】
本実施形態に係る医療用長尺体セット１０は、図１に示すように、医療用長尺体であるガイドワイヤ６０の遠位部の摺動性を任意に変更するものである。医療用長尺体セット１０は、ガイドワイヤ６０と、カバー付与デバイス２０とにより構成される。
【００２２】
カバー付与デバイス２０は、ガイドワイヤ６０の遠位部の摺動性を変更するために、ガイドワイヤ６０の遠位部にカバー部３０を装着するものである。カバー付与デバイス２０は、カバー部３０と、ガイドワイヤ６０をカバー部３０の内部へ誘導する装着具５０とを備えている。カバー部３０および装着具５０は、組み合わされた状態で使用される。
【００２３】
装着具５０と組み合わされる前のカバー部３０は、図２に示すように、カバー本体３１と、外側被覆層４０とを備えている。カバー本体３１は、筒状であり、近位側が開口し、遠位側が閉じている。カバー部３０は、近位側に位置するカバー近位部３２と、遠位側に位置するカバー遠位部３３とを備えている。カバー近位部３２は、近位側で開口する近位側開口部３４を備えている。カバー遠位部３３は、遠位側で内腔を閉じる当接部３５を備えている。さらに、カバー部３０の近位側開口部３４の外縁部３６は、曲面または平面で面取りされている。なお、外縁部３６は、面取りされていなくてもよい。カバー部３０の外径および内径は、近位側へ向かって減少している。カバー近位部３２の内径は、ガイドワイヤ６０の外径よりも小さい。カバー部３０の厚さは、近位側へ向かって減少している。このため、後に詳述するが、カバー部３０がガイドワイヤ６０に被さると、カバー部３０の近位部は伸長した状態となる。これにより、カバー部３０の近位部は、自己の収縮力により、ガイドワイヤ６０の外表面であるワイヤ外表面６５に密着する。したがって、カバー部３０がガイドワイヤ６０から外れ難くなり、安全性が向上する。なお、カバー部３０の外径および内径は、軸方向に沿って一定であってもよい。また、カバー部３０の厚さは、遠位側へ向かって減少してもよく、または軸方向に沿って一定であってもよい。
【００２４】
当接部３５は、略均一の厚さで形成されている。なお、当接部３５の厚さは、部位によって異なってもよい。カバー遠位部３３の内部に位置する当接部３５の近位面３７は、ガイドワイヤ６０が突き当る面である。近位面３７は、ガイドワイヤ６０の遠位端の曲率半径と略一致する曲率半径を有して凹状に形成されている。当接部３５の近位面３７が、ガイドワイヤ６０と接することで、カバー部３０を、ガイドワイヤ６０に対して適切な位置に配置できる。なお、当接部３５は、ガイドワイヤ６０が突き当たることができれば、例えば、カバー部３０の内径よりも小さい内径の貫通孔が形成されてもよい。
【００２５】
当接部３５の遠位面３８は、凸状の曲面で形成されている。遠位面３８は、生体組織に突き当たる部位である。遠位面３８が曲面であることで、生体組織の損傷を抑制できる。なお、遠位面３８は、外側被覆層４０で覆われる場合には、外側被覆層４０を介して生体組織に接触する。
【００２６】
外側被覆層４０は、カバー本体３１の外表面であるカバー外表面３９Ａの略全体を被覆している。外側被覆層４０は、摩擦抵抗を低減させることが好ましいが、摩擦抵抗を増加させてもよい。外側被覆層４０は、例えば、親水性コート、フッ素コート、およびシリコンコートからなる群より選択される少なくとも１種が挙げられる。親水性コートに用いられる材料としては、例えば、セルロース系高分子物質、ポリエチレンオキサイド系高分子物質、無水マレイン酸系高分子物質（例えば、メチルビニルエーテル−無水マレイン酸共重合体のような無水マレイン酸共重合体）、アクリルアミド系高分子物質（例えば、ポリアクリルアミド、グリシジルメタクリレート−ジメチルアクリルアミドのブロック共重合体（Ｐ（ＧＭＡ−ＤＭＡ）））、水溶性ナイロン、ポリビニルアルコール、ポリビニルピロリドン等からなる公知の親水性物質が挙げられる。また、フッ素コートに用いられる材料としては、例えば、ポリテトラフルオロエチレン（ＰＴＦＥ）、テトラフルオロエチレン−パーフルオロアルキルビニルエーテル共重合体（ＰＦＡ）、ポリクロロトリフルオロエチレン（ＰＣＴＦＥ）、ポリフッ化ビニリデン（ＰＶＤＦ）、ポリフッ化ビニル（ＰＶＦ）、テトラフルオロエチレン−ヘキサフルオロプロピレン共重合体（ＦＥＰ）およびテトラフルオロエチレン−エチレン共重合体（ＰＥＴＦＥ）からなる群より選択される少なくとも１種が挙げられる。また、シリコンコートに用いられる材料としては、例えば、シリコーンゴム、シリコーン樹脂等が挙げられる。
【００２７】
なお、外側被覆層４０は、カバー本体３１の遠位端、すなわち当接部３５の外表面の近傍には形成されていなくてもよい。これにより、ガイドワイヤ６０の遠位端の摩擦抵抗が下がり過ぎず、血管の穿孔を抑制できる。カバー部３０の外側被覆層４０が設けられない範囲の軸方向の長さは、特に限定されないが、例えば２〜１５ｍｍである。また、カバー部３０の外側被覆層４０が設けられない範囲に、外側被覆層４０とは異なる材料からなる層が形成されてもよい。また、外側被覆層４０は、例えば、網目状、螺旋状、ドット状のように、部分的に設けられてもよい。外側被覆層４０を部分的に設けることで、滑る方向に異方性を付与できる。
【００２８】
なお、外側被覆層４０は、設けられなくてもよい。この場合、露出するカバー外表面３９Ａによって、ガイドワイヤ６０に摺動性を付与できる。
【００２９】
カバー本体３１の内腔に位置する内表面であるカバー内表面３９Ｂには、摺動性の高いコートが付与されない。カバー内表面３９Ｂは、外側被覆層４０よりも摩擦係数が大きい。このため、カバー部３０がガイドワイヤ６０に装着された際に、カバー部３０がガイドワイヤ６０に密着し、ガイドワイヤ６０からずれることを抑制できる。なお、カバー内表面３９Ｂは、摩擦係数の大きい材料が被覆されてもよい。摩擦係数の大きい材料としては、例えば、シリコーンゴム、シリコーン樹脂等が挙げられる。また、カバー内表面３９Ｂは、摩擦係数を高めるために、凹凸形状が付与されてもよい。
【００３０】
カバー本体３１の構成材料は、伸縮できる材料であることが好ましく、例えば、ラテックスゴム、イソプレンゴム、スチレンブタジエンゴム、ニトリルブタジエンゴム、クロロプレンゴム、ポリウレタンゴム、シリコーンゴムなどの合成ゴム類およびこれらを硫黄、過酸化物、放射線などにより前加硫（換言すると熟成）させた合成ゴム類並びにポリウレタン、ＳＢＳ、ＳＥＢＳ、ＳＩＳ、ポリオレフィンなどをはじめとする熱可塑性エラストマーが挙げられる。
【００３１】
カバー部３０の軸方向の長さは、ガイドワイヤ６０から外れ難い長さであることが好ましい。カバー部３０の軸方向の長さは、特に限定されないが、例えば３０〜５００ｍｍである。
【００３２】
カバー部３０の厚さは、ガイドワイヤ６０の操作性に影響が少ないことが好ましい。カバー部３０の厚さは、特に限定されないが、例えば０．００５〜０．０５ｍｍである。
【００３３】
装着具５０は、遠位側へ向かって外径および内径がテーパ状に減少する管体である。装着具５０は、遠位側の第１の開口部５１と、近位側の第２の開口部５２を備えている。装着具５０の外周面５３は、カバー部３０が被さる面である。装着具５０の最少内径、すなわち、第１の開口部５１の内径は、ガイドワイヤ６０が通過できるように、ガイドワイヤ６０の最大外径よりも大きい。
【００３４】
カバー部３０および装着具５０は、図１、３に示すように、組み合わされて、カバー付与デバイス２０を構成する。カバー付与デバイス２０において、装着具５０の遠位部が、カバー部３０の近位側開口部３４から挿入されている。装着具５０の遠位部は、当接部３５の近位面３７に近接する。装着具５０の遠位部は、近位面３７に接触しても、接触しなくてもよい。カバー部３０の近位部は、内径および外径が広がるように引き延ばされて、装着具５０の外周面５３に密着する。装着具５０の近位部の少なくとも一部は、カバー部３０に覆われずに露出している。この露出している部位は、術者が把持して操作する部位である。
【００３５】
装着具５０の構成材料としては、特に限定されないが、ステンレスなどの汎用金属やポリエチレン、ポリプロピレン、ポリスチレン、ポリ塩化ビニル、ポリエステル、ポリメタクリレート、ポリアクリレート、ポリオキシメチレン、ポリアミド、ポリウレタンなどの汎用樹脂、またはこれらの２種類以上の材質の部品の組み合わせなどが挙げられる。
【００３６】
ガイドワイヤ６０は、血管等の生体管腔の目的の位置へ、カテーテル等の医療デバイスを誘導するものである。ガイドワイヤ６０は、図１に示すように、長尺な芯材６１と、芯材６１を覆う被覆材６２とを備えている。
【００３７】
芯材６１は、近位側に位置する近位シャフト６３と、近位シャフト６３の遠位側に位置する遠位シャフト６４とを備えている。近位シャフト６３は、芯材６１の近位端から遠位側へ向かって延在する略一定外径を有する部位である。遠位シャフト６４は、外径が遠位側へ向かってテーパ状に減少する部位である。被覆材６２は、芯材６１を覆い、略一定の外径を備えている。
【００３８】
芯材６１の構成材料としては、特に限定されないが、例えばＮｉ−Ｔｉ系合金、コバルト系合金等の超弾性合金、ステンレス鋼等が挙げられる。被覆材６２の構成材料としては、特に限定されないが、例えばウレタン樹脂等が挙げられる。被覆材６２の外表面であるワイヤ外表面６５は、摺動性を付与するために、親水性コート、フッ素コート、およびシリコンコートが設けられてもよい。
【００３９】
なお、ガイドワイヤ６０の構造は、上述した形態に限定されない。例えば、ガイドワイヤ６０の遠位部は、外表面にコイルが配置されてもよい。また、ガイドワイヤ６０の遠位部は、樹脂に埋設されたコイルが配置されてもよい。または、ガイドワイヤ６０の遠位部は、遠位側へ向かって縮径するテーパ状の線材であってもよい。または、ガイドワイヤ６０の遠位部は、複数層のコイルを備えてもよい。または、ガイドワイヤ６０の遠位部は、螺旋状にスリットが形成されたパイプを備えてもよい。
【００４０】
次に、本実施形態に係る医療用長尺体セット１０の作用を説明する。
【００４１】
図４（Ａ）に示すように、遠位部に任意の摺動性を付与したいガイドワイヤ６０の遠位部を、カバー付与デバイス２０の第２の開口部５２に挿入する。このとき、装着具５０の外周面５３の近位側の部位を把持することが好ましい。第２の開口部５２の内径は、遠位側から近位側に向かって広がっている。このため、第２の開口部５２に、ガイドワイヤ６０の遠位部を容易に挿入できる。第２の開口部５２に挿入されたガイドワイヤ６０は、テーパ状の装着具５０により、カバー部３０の近位側開口部３４へ誘導される。そして、ガイドワイヤ６０は、近位側開口部３４からカバー部３０の内腔に入り込む。ガイドワイヤ６０の遠位端は、装着具５０の第１の開口部５１を貫通し、当接部３５の近位面３７に当接する。これにより、近位面３７に、ガイドワイヤ６０から力が作用する。装着具５０を指で保持して、ガイドワイヤ６０をさらに遠位側へ移動させると、カバー内表面３９Ｂが、装着具５０の外周面５３を滑る。これにより、カバー部３０が、装着具５０に対して遠位側へ移動し、図４（Ｂ）に示すように、カバー部３０がガイドワイヤ６０に被さる。カバー近位部３２の内径は、ガイドワイヤ６０の外径よりも小さいため、カバー近位部３２は、引き延ばされた状態で、ガイドワイヤ６０に接する。このため、カバー近位部３２は、自己の収縮力によりガイドワイヤ６０に密着する。また、カバー部３０の厚さが、近位側へ向かって減少しているため、カバー部３０は、近位側開口部３４付近において、ワイヤ外表面６５からほとんど突出しない。さらに、カバー部３０の近位側開口部３４の外縁部３６は、曲面または平面で面取りされている。このため、カバー部３０に近位側から力が作用しても、カバー部３０の近位部に力が作用し難い。したがって、カバー部３０を装着したガイドワイヤ６０に沿って、カテーテル等の医療デバイスを搬送する際などに、カバー部３０がガイドワイヤ６０から捲れることを抑制できる。
【００４２】
カバー部３０が、装着具５０からガイドワイヤ６０へ完全に移動した後、ガイドワイヤ６０を、装着具５０に対して遠位側または近位側へ移動させる。これにより、ガイドワイヤ６０を、装着具５０から引き抜く。これにより、ガイドワイヤ６０の遠位部へカバー部３０を装着する作業が完了する。なお、カバー部３０は、伸縮性を有するため、指等で引っ張ることで変形させて、ガイドワイヤ６０から取り外し可能であってもよい。また、カバー部３０は、破壊することで、ガイドワイヤ６０から取り外し可能であってもよい。
【００４３】
以上のように、本実施形態におけるカバー付与デバイス２０は、ガイドワイヤ６０（医療用長尺体）の遠位部にカバー部３０を装着するためのカバー付与デバイス２０であって、ガイドワイヤ６０の遠位部に被さって装着されるカバー部３０と、ガイドワイヤ６０を挿入可能な内腔を有し、カバー部３０によって外周面５３が覆われた装着具５０と、を有する。
【００４４】
上記のように構成したカバー付与デバイス２０は、カバー部３０をガイドワイヤ６０に装着することで、ガイドワイヤ６０の遠位部に任意の摺動性を容易に付与できる。
【００４５】
また、カバー部３０は、カバー本体３１と、カバー本体３１のカバー外表面３９Ａの少なくとも一部を覆い、カバー本体３１と異なる材料により形成される外側被覆層４０と、を有する。これにより、カバー部３０の外表面の摺動性を、任意に調節することが容易となる。
【００４６】
また、カバー部３０は、近位側で開口する近位側開口部３４と、近位側開口部３４の遠位側に位置してガイドワイヤ６０の遠位部が突き当たる当接部３５と、を有する。これにより、ガイドワイヤ６０の遠位部で当接部３５を押すことで、カバー部３０を装着具５０から離脱させ、ガイドワイヤ６０の遠位部に移動させることができる。また、当接部３５にガイドワイヤ６０の遠位部を突き当てることで、カバー部３０のガイドワイヤ６０に対する位置が規定される。このため、カバー部３０をガイドワイヤ６０の適切な位置に装着できる。
【００４７】
また、カバー部３０の近位部の厚さは、カバー部３０の遠位部の厚さ以下である。これにより、カバー部３０をガイドワイヤ６０の遠位部に装着すると、カバー部３０の近位部が、ワイヤ外表面６５から突出し難い。このため、カバー部３０に近位側から力が作用しても、カバー部３０の近位部に力が作用し難い。したがって、カバー部３０を装着したガイドワイヤ６０に沿って、カテーテル等の医療デバイスを搬送する際などに、カバー部３０がガイドワイヤ６０から捲れることを抑制できる。
【００４８】
また、カバー部３０のカバー内表面３９Ｂの摩擦係数は、外側被覆層４０の摩擦係数よりも大きい。これにより、カバー部３０をガイドワイヤ６０に装着した際に、摩擦係数の大きいカバー内表面３９Ｂがガイドワイヤ６０と接触する。これにより、カバー部３０がガイドワイヤ６０から外れ難くなり、安全性が向上する。
【００４９】
また、外側被覆層４０は、親水性ポリマーにより形成されてもよい。これにより、カバー部３０をガイドワイヤ６０に装着することで、ガイドワイヤ６０の遠位部に高い摺動性を付与できる。
【００５０】
なお、本発明は、上述した実施形態のみに限定されるものではなく、本発明の技術的思想内において当業者により種々変更が可能である。例えば、ガイドワイヤ６０が挿入される生体管腔は、血管に限定されず、例えば、脈管、尿管、胆管、卵管、肝管等であってもよい。
【００５１】
また、図５（Ａ）に示す第１の変形例のように、装着具５０を覆うカバー部３０の近位側の一部が、ロール状に巻かれてもよい。巻かれたカバー部３０をガイドワイヤ６０に移動させた後、巻かれた部分を解くように伸ばす。これにより、カバー部３０の近位側の部位をガイドワイヤ６０に密着させることができる。カバー部３０は、巻かれて軸方向の長さが短い状態で、ガイドワイヤ６０へ移動するため、作業性が向上する。
【００５２】
また、図５（Ｂ）に示す第２の変形例のように、装着具５０を覆うカバー部３０が、装着具５０の外周面５３で、蛇腹状に繰り返し折り曲げられてもよい。これにより、カバー部３０は、折り曲げられて軸方向の長さが短い状態で、装着具５０に配置されている。このため、装着具５０の軸方向の長さを短くでき、作業性が向上する。
【００５３】
また、図６（Ａ）に示す第３の変形例のように、装着具７０の内径および外径は、軸方向に沿って略一定であってもよい。
【００５４】
また、図６（Ｂ）に示す第４の変形例のように、装着具８０は、筒状部８１の近位側に、筒状部８１と連通する内腔を有するハブ８２を備えてもよい。装着具８０は、ハブ８２を備えることで把持しやすくなり、操作性が向上する。
【００５５】
また、図６（Ｃ）に示す第５の変形例のように、装着具９０は、外周面９２の遠位端から近位端まで延在するスリット９１（連通部）が形成されてもよい。スリット９１は、装着具９０の外周面９２と内腔とを連通している。これにより、カバー部３０をガイドワイヤ６０に装着する際に、スリット９１の隙間を狭めるように装着具９０を把持することができる。これにより、カバー部３０を装着具９０から外しやすくなり、操作性が向上する。
【００５６】
また、図７（Ａ）に示す第６の変形例のように、装着具１００は、外周面１０１と内腔とを連通する孔部１０２（連通部）を有してもよい。装着具１００は、遠位側の第１の開口部１０４と、近位側の第２の開口部１０３とを備える。カバー部３０は、外側被覆層４０の少なくとも一部が内側を向くように裏返った状態で、装着具１００の外周面１０１と接触する。当接部３５は、第２の開口部１０３の内側に位置している。当接部３５の遠位面３８は、第２の開口部１０３の内部に入り込んでいる。外側被覆層４０は、外周面１０１と接触可能である。外側被覆層４０は、外周面１０１と隙間なく密着してもよい。この状態で、装着具１００を生理食塩液に浸漬すると、生理食塩液は、第１の開口部１０４から孔部１０２を通って、外側被覆層４０と外周面１０１の間に供給される。生理食塩液で濡れた外側被覆層４０は、例えば親水性コートである場合、高い摺動性を発揮する。このため、ガイドワイヤ６０の遠位端を、当接部３５の近位面３７に当接し、ガイドワイヤ６０を遠位側へ移動させると、外側被覆層４０が、外周面１０１を円滑に滑る。これにより、図７（Ｂ）に示すように、外側被覆層４０が外側を向くように戻りつつ、カバー部３０がガイドワイヤ６０の遠位部に装着される。第６の変形例によれば、装着具１００に取り付けた状態のカバー部３０の外側被覆層４０が摺動性を有するため、カバー部３０は、装着具１００から外れやすく、ガイドワイヤ６０に装着しやすい。また、カバー部３０がガイドワイヤ６０に装着されるまで、外側被覆層４０が装着具１００の外周面１０１以外に接触しない。このため、外側被覆層４０の摺動性が低下（変化）せず、かつ外側被覆層４０を清潔に保つことができる。
【符号の説明】
【００５７】
１０    医療用長尺体セット
２０    カバー付与デバイス
３０    カバー部
３１    カバー本体
３４    近位側開口部
３９Ａ    カバー外表面
３９Ｂ    カバー内表面
４０    外側被覆層
５０、７０、８０、９０、１００    装着具
５１、１０４    第１の開口部
５２、１０３    第２の開口部
５３、９２、１０１    外周面
６０    ガイドワイヤ（医療用長尺体）
９１    スリット（連通部）
１０２    孔部（連通部）
【図１】
2019130207.tif 000003
【図２】
2019130207.tif 000004
【図３】
2019130207.tif 000005
【図４】
2019130207.tif 000006
【図５】
2019130207.tif 000007
【図６】
2019130207.tif 000008
【図７】
2019130207.tif 000009